(57)【要約】【課題】主として高齢者や要介護者などが室内の歩行時に補助又は介護用設備として使用する、縦型手摺りに続いて同縦型手摺りと壁面との間を繋ぐ横型手摺りの設置構造を提供する。【解決手段】室内に設置された縦型手摺りに続く介護用の横型手摺りを壁との間に設置する構造において、縦型手摺りの所望高さ位置にブランチブラケットが取り付けられ、同ブラケットのパイプソケットに横型手摺りの一端部が支持され、前記横型手摺りの他端部は、壁面へ固定された壁取付ブラケットのパイプソケットに支持されている。前記ブランチブラケット及び壁取付ブラケットのパイプソケットはそれぞれ横型手摺りを支持する角度を可変であり、且つ横型手摺りの前記支持角度を固定可能に構成される。【選択図】図１
2004316091.tif 000002
【特許請求の範囲】
【請求項１】
室内に設置された縦型手摺りに続く介護用の横型手摺りを壁との間に設置する構造において、
縦型手摺りの所望高さ位置にブランチブラケットが取り付けられ、同ブラケットのパイプソケットに横型手摺りの一端部が支持されていること、
前記横型手摺りの他端部は、壁面へ固定された壁取付ブラケットのパイプソケットに支持されていること、
前記ブランチブラケット及び壁取付ブラケットのパイプソケットはそれぞれ横型手摺りを支持する角度を可変であり、且つ横型手摺りの前記支持角度を固定可能に構成されていること、
をそれぞれ特徴とする、縦型手摺りに続く横型手摺りの設置構造。
【請求項２】
室内に設置された縦型手摺りに続く介護用の横型手摺りを壁との間に設置する構造において、
縦型手摺りの所望高さ位置にブランチブラケットが取り付けられ、同ブラケットのパイプソケットに横型手摺りの一端部が支持されていること、
前記横型手摺りの他端部は、壁面へ固定された壁取付ブラケットのパイプソケットに支持されていること、
壁取付ブラケットは、壁面に向かって固定ネジを通す複数の通孔が設けられ、前面側へ突き出された垂直な板状の支持部を有し、前記支持部の上辺は下方へ約１／４下る円弧状に形成され、更にその下部に下方へ下る傾斜状に後記ロックピンをロックするロック下辺を形成された壁固定部材と、
先端面部に前記板状の支持部へ垂直下向きに嵌め込まれる下向きにコ字形状の嵌合板を備え、横型手摺りの一端部が嵌め込まれ結合されるパイプソケットとで構成されており、
前記嵌合板の両側壁部には、先方に向かって下る傾斜状の長孔が前記支持部のロック下辺とほぼ平行状に形成され、同長孔には水平方向に通したロックピンが同長孔の長手方向へ移動自在に設置されており、
前記壁固定部材はその通孔へ通し壁面へねじ込んだ固定ネジにより壁面へ固定され、横型手摺りの一端を差し込み結合した前記パイプソケットの嵌合板が前記壁固定部材の支持部へ垂直下向きに嵌め込まれ、そのロックピンを支持部のロック下辺へ位置させて横型手摺りの支持が行われていること、
をそれぞれ特徴とする、縦型手摺りに続く横型手摺りの設置構造。
【請求項３】
ブランチブラケットは、縦型手摺りを通す縦向きのパイプソケットから水平方向に支持部が突き出され、前記支持部の上面部に半球状の球状凹部を形成された主部材と、
前記支持部の球状凹部に下半部を支持される球形部と一体的に構成されたパイプソケットと、
下面部に前記球形部の上半部を支持する半球状の球状凹部が形成され、前記支持部に向かって結合ボルトを通す通孔が設けられ、更に前記球形凹部に向かって止めネジをねじ込むネジ孔が設けられており、前記支持部の上面部へ重ね合わされる蓋部材とで構成され、
支持部及び蓋部材の球状凹部内にパイプソケットの球形部が挟み込まれ、蓋部材の前記通孔へ通した結合ボルトにより支持部と蓋部材とが結合され、各々の球状凹部内にパイプソケットの球形部がパイプソケットの角度を可変に支持されており、蓋部材のネジ孔へねじ込んだ止めネジにより前記パイプソケットが横型手摺りの設置角度に固定され、同パイプソケットに横型手摺りの一端が差し込まれ結合されていること、
をそれぞれ特徴とする、請求項１又は２に記載した縦型手摺りに続く横型手摺りの設置構造。
【請求項４】
ブランチブラケットは、縦型手摺りを両外側から挟む半環状のパイプソケット、及び前記半環状のパイプソケットの基端部から水平方向に突き出された半割状の支持部、並びに前記支持部の分割面に半球状の球状凹部を備えた一対の半割部材の組み合わせから成り、前記一対をなす半環状のパイプソケットの先端部には相互に噛み合わせる構造の連結部を有し、前記半割状支持部の一方に他方の支持部に向かって結合ボルトを通す通孔が設けられている主部材と、
前記一対の支持部の球状凹部に支持される球形部と一体的に構成されたパイプソケットとで構成され、
前記半環状をなす一対のパイプソケットで縦型手摺りを両外側から挟み、各々の先端部の前記連結部を噛み合わせて結合し、一対の半割状支持部の球状凹部内にパイプソケットの球形部が挟み込まれ、前記一方の支持部の通孔に通した結合ボルトにより他方の支持部との結合及び縦型手摺りとの位置決め固定が行われ、同時に前記パイプソケットが横型手摺りの設置角度に固定されており、同パイプソケットに横型手摺りの一端が差し込まれ結合されていること、
をそれぞれ特徴とする、請求項１又は２に記載した縦型手摺りに続く横型手摺りの設置構造。
【請求項５】
壁取付ブラケットは、壁面に向かって固定ネジを通す複数の通孔が設けられており、前面側へ突き出された支持部を有し、前記支持部の上面部に半球状の球状凹部を形成された壁固定部材と、
前記球状凹部に下半部を支持される球形部と一体的に構成されたパイプソケットと、
下面部に前記球形部の上半部を支持する半球状の球状凹部が形成され、前記支持部に向かって結合ボルトを通す通孔が設けられ、前記支持部の上面部へ重ね合わされる蓋部材とで構成され、
壁固定部材の前記通孔へ通し壁面へねじ込んだ固定ネジにより壁固定部材が壁面へ固定されており、支持部及び蓋部材の球状凹部内にパイプソケットの球形部が挟み込まれ、前記蓋部材の通孔へ通した結合ボルトにより蓋部材が支持部と結合され、各々の球状凹部内にパイプソケットの球形部がパイプソケットの角度を可変に支持されており、同パイプソケットに横型手摺りの一端が差し込まれ結合されていること、
をそれぞれ特徴とする、請求項１に記載した縦型手摺りに続く横型手摺りの設置構造。
【発明の詳細な説明】
【０００１】
【発明の属する技術分野】
この発明は、主として高齢者や要介護者などが室内の歩行時に補助又は介護用設備として使用する、縦型手摺りに続いて同縦型手摺りと壁面との間を繋ぐ横型手摺りの設置構造の技術分野に属する。
【０００２】
【従来の技術】
高齢者や要介護者などが室内の歩行時に補助又は介護用設備として使用する手摺りは、通例建物の壁面に沿って水平に設置したもの（いわゆる壁際の横型手摺り）が一般的である。したがって、利用者は壁伝いに歩行するほかなく、目的とする場所への移動距離が長い欠点がある。とりわけ大空間の部屋などの場合には、わざわざ横型手摺りを設置してある壁面まで移動して、そこにある横型手摺りに掴まって立ち上がり目的の位置、方向へ歩行するほかないので、大変不便である。よって部屋の中央部位に縦型手摺りを設置し、この縦型手摺りと一連に続いて壁との間を繋ぐ横型手摺りの設置が強く求められている。
【０００３】
下記の特許文献１には、先ず縦型手摺りの設置構造が開示されている。即ち、縦型手摺りの上下の端部に天井側アタッチメントおよび床側アタッチメントを取り付け、天井側アタッチメントは部屋の天井面へ、床側アタッチメントは床面へそれぞれ、圧縮用コイルスプリングによる弾性支持機構、及びボルトナット機構による突張力調整機構を用いて突っ張り状態に取り付ける。更に念の為に、天井側アタッチメント及び床側アタッチメントと天井面、床面との間にはゴム板や両面接着テープの如き滑り止め部材を介在させる。或いは釘やビス、ボルトなどの固定部材を用いて直接的に固定する。更には天井側アタッチメントを少なくとも３本の支持体を用いて部屋の側壁へ固定する、等々の構成であることが認められる。
【０００４】
同じ特許文献１の図８、図９には、上記縦型手摺りに続いて、壁面との間、又は縦型手摺り相互間を繋ぐ横型手摺りの設置構造も開示されている。図８の場合は、縦型手摺りの所定高さ位置にＴ型ジョイントを取り付け、横型手摺りの一端部をＴ型ジョイントで支持させることが開示されている。図７によれば、Ｔ型ジョイントは周知の形状、構造であることが認められる。むしろ、横型手摺りの他端を壁へ固定する手段である継手ないしアタッチメントの構成、作用についての具体的な記載の無いことが惜しまれる。図９は、２本の縦型手摺りへ前記Ｔ型ジョイントを取り付け、横型手摺りの両端を前記Ｔ型ジョイントと結合した構成であることが認められる。
【０００５】
【特許文献１】
特開２０００−３１４２２０号公報
【０００６】
【発明が解決しようとする課題】
特許文献１の図８に開示された技術は、横型手摺りの端部を壁面へ固定する手段としての継手ないしアタッチメントの構成、作用が具体的に開示されていないので、いわゆる当業者が実施可能な技術と認めることはできない。とりわけ、横型手摺りには利用者の体重に近い負荷が上下方向の鉛直荷重及び軸線方向への軸荷重として、利用者の人数分に比例する大きさで作用すると考えられるので、そうした大荷重に絶対耐える安全性が確認されなければならない。
【０００７】
横型手摺りについては、Ｔ型ジョイントと、壁面へ固定する継手ないしアタッチメントとの間に長短の過不足無く取り付ける必要がある。使用上、横型手摺りが不意に軸方向へズリ動いたり、極端な場合には抜け落ちる心配、危険があってはならないからである。その一手段として、特許文献１の縦型手摺りに開示された圧縮用コイルスプリングによる弾性支持機構、或いはボルトナット機構による突張力調整機構などを用い、横型手摺りを丁度良い長さで強固に設置する作業を行い、又は手摺りの取り替え修理や解体の自由度を確保することが考えられる。ところが、横型手摺りの場合は、利用者によって横型手摺りを軸線方向へ押し引きする荷重が大きく負荷されるので、この荷重によって微動だにしても手摺りとしての適性を欠くことになる。よって、スプリングによる弾性支持機構を採用して長さの過不足を調整する設置構造は採用し難い。
【０００８】
更に、縦型手摺りに続く横型手摺りは、縦型手摺りの位置から壁面に対して垂直（直角）に配置されるとは限らない。むしろ実用上は、利用者の歩行の便利に応えるべく壁面に対し非垂直な様々な配置に結合される場合が多い。しかし、上記特許文献１の図８に開示された技術内容は、このような問題点には何も答えていない。
【０００９】
本発明の目的は、建物の室内又は室外に設置された縦型手摺りと壁との間に、利用者が真に必要とする方向と配置で自由自在に設置できる横型手摺りの設置構造を提供することである。
本発明の次の目的は、ブランチブラケットと、壁取付ブラケットの２種を使用して軽便且つ迅速に、しかも高い信頼性と安全性のもとに縦型手摺りに続く形で壁との間に横型手摺りを設置する構造を提供することである。
本発明の更なる目的は、横型手摺りの設置作業はもとより、手摺りの交換修理や解体作業まで自由、自在にでき、使い勝手に優れる、縦型手摺りに続く横型手摺りの設置構造を提供することである。
【００１０】
【課題を解決するための手段】
上記の課題を解決し、目的を達成するための手段として、請求項１に記載した発明に係る縦型手摺りに続く横型手摺りの設置構造は、
室内に設置された縦型手摺りに続く介護用の横型手摺りを壁との間に設置する構造において、
縦型手摺りの所望高さ位置にブランチブラケットが取り付けられ、同ブラケットのパイプソケットに横型手摺りの一端部が支持されていること、
前記横型手摺りの他端部は、壁面へ固定された壁取付ブラケットのパイプソケットに支持されていること、
前記ブランチブラケット及び壁取付ブラケットのパイプソケットはそれぞれ横型手摺りを支持する角度を可変であり、且つ横型手摺りの前記支持角度を固定可能に構成されていること、をそれぞれ特徴とする。
【００１１】
請求項２に記載した発明に係る縦型手摺りに続く横型手摺りの設置構造は、
室内に設置された縦型手摺りに続く介護用の横型手摺りを壁との間に設置する構造において、
縦型手摺りの所望高さ位置にブランチブラケットが取り付けられ、同ブラケットのパイプソケットに横型手摺りの一端部が支持されていること、
前記横型手摺りの他端部は、壁面へ固定された壁取付ブラケットのパイプソケットに支持されていること、
壁取付ブラケットは、壁面に向かって固定ネジを通す複数の通孔が設けられ、前面側へ突き出された垂直な板状の支持部を有し、前記支持部の上辺は下方へ約１／４下る円弧状に形成され、更にその下部に下方へ下る傾斜状に後記ロックピンをロックするロック下辺を形成された壁固定部材と、
先端面部に前記板状の支持部へ垂直下向きに嵌め込まれる下向きにコ字形状の嵌合板を備え、横型手摺りの一端部が嵌め込まれ結合されるパイプソケットとで構成されており、
前記嵌合板の両側壁部には、先方に向かって下る傾斜状の長孔が前記支持部のロック下辺とほぼ平行状に形成され、同長孔には水平方向に通したロックピンが同長孔の長手方向へ移動自在に設置されており、
前記壁固定部材はその通孔へ通し壁面へねじ込んだ固定ネジにより壁面へ固定され、横型手摺りの一端を差し込み結合した前記パイプソケットの嵌合板が前記壁固定部材の支持部へ垂直下向きに嵌め込まれ、そのロックピンを支持部のロック下辺へ位置させて横型手摺りの支持が行われていること、をそれぞれ特徴とする。
【００１２】
請求項３に記載した発明は、請求項１又は２に記載した縦型手摺りに続く横型手摺りの設置構造において、
ブランチブラケットは、縦型手摺りを通す縦向きのパイプソケットから水平方向に支持部が突き出され、前記支持部の上面部に半球状の球状凹部を形成された主部材と、
前記支持部の球状凹部に下半部を支持される球形部と一体的に構成されたパイプソケットと、
下面部に前記球形部の上半部を支持する半球状の球状凹部が形成され、前記支持部に向かって結合ボルトを通す通孔が設けられ、更に前記球形凹部に向かって止めネジをねじ込むネジ孔が設けられており、前記支持部の上面部へ重ね合わされる蓋部材とで構成され、
支持部及び蓋部材の球状凹部内にパイプソケットの球形部が挟み込まれ、蓋部材の前記通孔へ通した結合ボルトにより支持部と蓋部材とが結合され、各々の球状凹部内にパイプソケットの球形部がパイプソケットの角度を可変に支持されており、蓋部材のネジ孔へねじ込んだ止めネジにより前記パイプソケットが横型手摺りの設置角度に固定され、同パイプソケットに横型手摺りの一端が差し込まれ結合されていること、をそれぞれ特徴とする。
【００１３】
請求項４に記載した発明は、請求項１又は２に記載した縦型手摺りに続く横型手摺りの設置構造において、
ブランチブラケットは、縦型手摺りを両外側から挟む半環状のパイプソケット、及び前記半環状のパイプソケットの基端部から水平方向に突き出された半割状の支持部、並びに前記支持部の分割面に半球状の球状凹部を備えた一対の半割部材の組み合わせから成り、前記一対をなす半環状のパイプソケットの先端部には相互に噛み合わせる構造の連結部を有し、前記半割状支持部の一方に他方の支持部に向かって結合ボルトを通す通孔が設けられている主部材と、
前記一対の支持部の球状凹部に支持される球形部と一体的に構成されたパイプソケットとで構成され、
前記半環状をなす一対のパイプソケットで縦型手摺りを両外側から挟み、各々の先端部の前記連結部を噛み合わせて結合し、一対の半割状支持部の球状凹部内にパイプソケットの球形部が挟み込まれ、前記一方の支持部の通孔に通した結合ボルトにより他方の支持部との結合及び縦型手摺りとの位置決め固定が行われ、同時に前記パイプソケットが横型手摺りの設置角度に固定されており、同パイプソケットに横型手摺りの一端が差し込まれ結合されていること、をそれぞれ特徴とする。
【００１４】
請求項５に記載した発明は、請求項１に記載した縦型手摺りに続く横型手摺りの設置構造において、
壁取付ブラケットは、壁面に向かって固定ネジを通す複数の通孔が設けられており、前面側へ突き出された支持部を有し、前記支持部の上面部に半球状の球状凹部を形成された壁固定部材と、
前記球状凹部に下半部を支持される球形部と一体的に構成されたパイプソケットと、
下面部に前記球形部の上半部を支持する半球状の球状凹部が形成され、前記支持部に向かって結合ボルトを通す通孔が設けられ、前記支持部の上面部へ重ね合わされる蓋部材とで構成され、
壁固定部材の前記通孔へ通し壁面へねじ込んだ固定ネジにより壁固定部材が壁面へ固定されており、支持部及び蓋部材の球状凹部内にパイプソケットの球形部が挟み込まれ、前記蓋部材の通孔へ通した結合ボルトにより蓋部材が支持部と結合され、各々の球状凹部内にパイプソケットの球形部がパイプソケットの角度を可変に支持されており、同パイプソケットに横型手摺りの一端が差し込まれ結合されていること、をそれぞれ特徴とする。
【００１５】
【発明の実施形態及び実施例】
次に、請求項１及び３〜５に記載した発明に係る縦型手摺りに続く横型手摺りの設置構造の実施形態を、図面に基づいて説明する。
先ず図１は、縦型手摺り１と、それに続く横型手摺り２の設置構造の一例を全体図として示している。
前記縦型手摺り１の中間の横型手摺りに所望される高さ位置に設けたブランチブラケット９に横型手摺り２の一端が結合され、同横型手摺り２の他端が壁取付ブラケット８と結合して建物の壁面３へ固定されている。
縦型手摺り１及び横型手摺り２はそれぞれ、建物の壁３及び床４で区画された室内（又は室外でも可）の所望位置に、介護用を目的とした配置で設置されている。したがって、大空間の部屋であっても、縦型手摺り１を設置する位置を適正に設定することにより、高齢者や要介護者は、身近な縦型手摺り１に掴まって立ち上がり、横型手摺り２に沿って伝い歩くことにより、最短距離の移動を効率的に行える。
【００１６】
図１の縦型手摺り１は、その下端部を床取付ブラケット５で建物の床面４へ固定されている。同縦型手摺り１の上端部には、複数のパイプソケットを備えたポールサポートブラケット６が取り付けられ、同ポールサポートブラケット６の前記パイプソケットに一端を固定したサポートパイプ７が、図１の場合には略直角な２方向へ略水平に配置され、各サポートパイプ７の他端を壁取付ブラケット８により建物の壁面３へ固定することにより、縦型手摺り１の上端がしっかりと充分強固に固定されている。
因みに本実施形態の場合、縦型手摺り１には外径が約４２ｍｍの合成樹脂接着被覆鋼管が使用され、横型手摺り２及びサポートパイプ７には外径が約３２ｍｍの合成樹脂接着被覆鋼管が使用されている。縦型手摺り１の床上高さは、室内を移動する人々の頭上に位置するサポートパイプ７が障害物とならない高さに自由に設定される。
【００１７】
なお、図１に示す縦型手摺り１は、その上端が部屋の天井まで届く高さではなく、室内を移動する人の頭上に障害とならない高さのサポートパイプ７で支持した構成であるが、この限りではない。上記特許文献１に開示された実施例のように、建物の床と天井の間に突っ張って固定した縦型手摺りであっても良いし、その他の構造で設置された縦型手摺りであっても良い。上記の床取付ブラケット５の構成についても、縦型手摺り１を床へ固定できる構造、機能で有れば、その如何を問わない。
【００１８】
次に、上記ブランチブラケット９の構成、作用等について説明する。
図２と図３に示したブランチブラケット９は、上記縦型手摺り１を通す内径で縦向きのパイプソケット１０から水平方向に支持部１１が突き出されており、前記支持部１１の上面部に半球形状の球状凹部１２を形成された主部材９Ａと、前記支持部１１の球状凹部１２に下半部を支持される球形部１３と一体的に構成されたパイプソケット１４と、下面部に前記球形部１３の上半部を支持する半球形状の球状凹部１５が形成され、前記支持部１１に向かって結合ボルト１６を通す通孔１７が設けられ、更に、前記球形凹部１５の球心に向かって止めネジ１９をねじ込むネジ孔１８が設けられ前記支持部１１の上面部へ重ね合わされる蓋部材２０とで構成されている。
【００１９】
上記縦型手摺り１を通す縦向きのパイプソケット１０には、貫通させた縦型手摺り１へ位置決め固定する止めネジ２１のネジ孔２２が設けられている。横型手摺り２を結合するパイプソケット１４にも、前記横型手摺り２と結合する止めネジ２３をねじ込むネジ孔２４が設けられている。支持部１１の上面部には、上記結合ボルト１６をねじ込むネジ孔２５が設けられている。但し、ネジを切らない単なる通孔（ボルト孔）として設け、下方からナットをねじ込む構成で実施することもできる。支持部１１の前記ネジ孔２５の左右両側の位置には、その上に被せて結合する蓋部材２０の位置決め用として、ダボ突起２６が２個設けられている。一方、図示することは省略したが、蓋部材２０の下面の対応位置には、前記のダボ突起２６が密接に嵌り込むダボ穴が同数、同一の配置に設けられている。
【００２０】
上記構成のブランチブラケット９は、先行して立てられる縦型手摺り１に予め主部材９Ａのパイプソケット１０を通し、支持部１１を横型手摺り２の設置方向と高さ位置に定め、止めネジ２１をネジ孔２２へ強くねじ込んで位置決め固定する。次に、前記支持部１１の球状凹部１２内にパイプソケット１４の球形部１３を入れ、その上方から蓋部材２０を球状凹部１５で前記球形部１３を挟むように被せ、ダボ突起２６へダボ穴を嵌め合わせ重ね合わせる。そして、蓋部材２０の前記通孔１７へ通した結合ボルト１６を支持部１１のネジ孔２５へねじ込み強く締め付けることにより、支持部１１と蓋部材２０を強固に結合して一体化する。
【００２１】
その結果、両部材の球状凹部１２と１５内にパイプソケット１４の球形部１３が挟み込まれ確実に支持される。球形部１３の外径を球状凹部１２と１５の内径よりも少し小さく設計しておくことにより、球形部１３は球状凹部１２と１５にいわばボールジョイントの如く回転自在に支持され、パイプソケット１４の角度は例えば振り角を９０°として３６０°全方向に角度を可変に支持される。
但し、設置した横型手摺り２は、その使用上微動だにすることも許されない。そこで、上記蓋部材２０のネジ孔１８へ止めネジ１９をねじ込み強く締め込むことにより、パイプソケット１４は横型手摺り２の設置角度、方向に強固に固定される。前記のパイプソケット１４に横型手摺り２の一端が差し込まれ、止めネジ２３をネジ孔２４へねじ込み強く締め込むことによって結合して、図３のようにブランチブラケット９の組み立てが完成される。もっとも、予めパイプソケット１４に横型手摺り２の一端を差し込み止めネジ２３により結合した上で、当該パイプソケット１４の球形部１３を球状凹部１２と１５の中に挟みこませ支持させる手順で実施することもできる（以上、請求項３記載の発明）。
【００２２】
次に、上記壁取付ブラケット８の構成及び作用について説明する。
図４と図５に示した壁取付ブラケット８は、建物の壁面３に向かって固定ネジ４４を通す複数の通孔４１、４１が左右２箇所に設けられ、前面側へ突き出された支持部４２を有し、前記支持部４２の上面部に半球形状の球状凹部４３を形成された壁固定部材４０と、前記球状凹部４３に下半部を支持される球形部４６を端面部に一体的に有する構成とされたパイプソケット４５と、下面側に前記球形部４６の上半部を支持する半球形状の球状凹部４７が形成され、前記支持部４２に向かって結合ボルト４９を通す通孔４８が設けられ、前記支持部４２の上面部へ重ね合わされる蓋部材５０とで構成されている。
【００２３】
上記の壁固定部材４０は、その左右２箇所の通孔４１へ通して壁面３へねじ込んだ木ねじの如き固定ネジ４４により壁面３へ強固に固定される。この壁固定部材４０の支持部４２の上面部には、上記蓋部材５０の通孔４８へ通した結合ボルト４９をねじ込むネジ孔５１が設けられている。但し、ネジを切らないで単なる通孔（ボルト孔）として設け、下方からナットをねじ込む構成で実施することもできる。前記支持部４２の上面部には、前記ネジ孔５１の左右両側の位置に、蓋部材５０を位置決めするダボ突起５２、５２が設けられている。これに対し、蓋部材５０の下面の対応する位置には、図示を省略したが、前記のダボ突起５２が密接に嵌るダボ穴が設けられている。
【００２４】
蓋部材５０は、上記のダボ突起５２へダボ穴を嵌め合わせる要領で支持部４２の上面に重ね合わされる。このとき両部材４２と５０の球状凹部４３と４７の中へパイプソケット４５の球形部４６が挟み込まれる。そして、前記結合ボルト４９を通孔４８へ通し、支持部４２のネジ孔５１へねじ込み強固に締め付けることにより、蓋部材５０は支持部４２と結合され、同時に前記パイプソケット４５の球形部４６もきっちり支持される。この場合に、球形部４６の外径を球状凹部４３、４７の内径よりも少し小さく設計しておくことにより、球形部４６は球状凹部４３、４７によっていわばボールジョイントの如く回転自在に支持され、パイプソケット４５の角度は、例えば振り角を９０°として３６０°全方向に角度を可変に支持される。
【００２５】
上記のパイプソケット４５へ横型手摺り２の端部が差し込まれ、同パイプソケット４５の筒壁に加工されたネジ孔５３へ止めネジ５４をねじ込むことにより、横型手摺り２は壁取付ブラケット８のパイプソケット４５と結合され、建物の壁３へ強固に固定して支持される。もっとも、横型手摺り２は、予めパイプソケット４５へ先行して差し込み、止めネジ５４によって一体的に結合した後に、このパイプソケット４５の球形部４６を、支持部４２及び蓋部材５０の球状凹部４３と４７の中へ挟み込んで組み立てを進める手順で実施することもできる（以上、請求項５記載の発明）。
【００２６】
ところで上記した図２、図３のブランチブラケット９は、パイプソケット１０が完全な筒体であるため、既に設置されている縦型手摺り１へ後付けの形で横型手摺り２を設置するには不都合である。この問題点を解決したブランチブラケット９’の実施形態を図６と図７に示した。以下、これを説明する。このブランチブラケット９’は請求項４に記載した発明に係るものである。
【００２７】
このブランチブラケット９’は、縦型手摺り１を両外側から挟む半環状のパイプソケット１０ａと、前記半環状のパイプソケット１０ａの基端部から水平方向に突き出された半割状の支持部１１ａ、並びに前記支持部１１ａの分割面に形成された半球状の球状凹部６０を備えた一対の半割部材６１Ａと６１Ｂの組み合わせから成る主部材と、前記一対の支持部１１ａ、１１ａの球状凹部６０に挟み込まれ支持される球形部１３と一体的に構成されたパイプソケット１４とで構成されている。
前記一対をなす半環状のパイプソケット１０ａ、１０ａの先端部には相互に噛み合わせる構造の連結部６２ａ、６２ｂを有し、前記半割状支持部１１ａの一方に、他方の支持部１１ａに向かって結合ボルト６３を通す通孔６４が設けられている。
【００２８】
このブランチブラケット９’の場合は、前記半環状をなす一対のパイプソケット１０ａ、１０ａで縦型手摺り１の所望高さ位置の両外側から挟み付ける。そして、各半環状パイプソケット１０ａの先端部に形成された、略同形の台形状をなす切り欠きと突起で構成した連結部６２ａと６２ｂを相互に噛み合わせて結合する。このとき、一対の半割状支持部１１ａ、１１ａの球状凹部内６０、６０内にパイプソケット１４の球形部１３を挟み込ませる。しかる上で前記一方の支持部１１ａの通孔６４へ通した結合ボルト６３を、他方の半割状支持部１１ａの分割面に設けてあるネジ孔６７へねじ込み強く締結すると、一対をなす半割状支持部１１ａ、１１ａの結合が行われ、前記締結力により縦型手摺り１に対する取り付け位置が強固に固定される。と同時に、前記パイプソケット１４の球形部１３も、前記の締結力により各球状凹部内６０、６０内で強固に締め付けられ、予め設定した横型手摺りの設置角度に強固に固定される（以上、請求項４に記載した発明）。
【００２９】
前記パイプソケット１４に横型手摺りの一端が差し込まれ結合されている。但し、予めパイプソケット１４に横型手摺りの一端を差し込み結合しておいて、その球形部１３を一対の半割状支持部１１ａ、１１ａの球状凹部６０、６０内に挟み込み支持させる手順で実施することもできる。
なお、一対をなす半割状支持部１１ａの分割面には、上記通孔６４及びネジ孔６７の両隣位置に、両者の合体位置を確定するためのダボ突起とダボ穴６８が設けられている。このダボ突起とダボ穴６８を嵌め合わせて一対をなす半割状支持部１１ａ、１１ａが一定の位置関係にきっちりと合体される。
【００３０】
壁取付ブラケットについても、上記図４、図５の実施例に限らず、請求項５に記載した発明に係るものを使用して実施することもできる。
具体的には図８〜図１０に実施形態を示した。この壁取付ブラケット８’は、本出願人の先の特許出願２００２−２８１３９９号明細書と図面（図７と図８）に提案したものに等しい。
この壁取付ブラケット８’は、壁面３に向かって固定ネジ７０を通す複数の通孔７１が設けられ、前面側へ突き出された垂直な板状の支持部７２を有する壁固定部材７３と、先端面部に前記板状の支持部７２へ垂直下向きに嵌め込まれる下向きにコ字形状（図８の断面形状を参照）の嵌合板７５を備えたパイプソケット７４とで構成されている。横型手摺り２の一端部がパイプソケット７４に嵌め込まれ止めネジ７６で結合される。
【００３１】
前記支持部７２のロック上辺７２ａは下方へ約１／４下る円弧状に形成されている。更にその下部には、壁固定部材７３に向かって下方へ下る傾斜状に後記ロックピンをロックするロック下辺７２ｂが形成されている。
前記嵌合板７５の両側壁部には、先方に向かって下る傾斜状の長孔７７が前記支持部７２のロック下辺７２ｂとほぼ平行状に形成され、同長孔７７には、水平方向に通したロックピン７８が同長孔７７の長手方向へ移動自在に設置されている。
【００３２】
この壁取付ブラケット８’の場合、前記壁固定部材７３は、その通孔７１へ通し壁面３へねじ込んだ固定ネジ７０により壁面３へ強固に固定される。一方、予め横型手摺り２の一端を差し込み止めネジ７６で結合したパイプソケット７４の嵌合板７５が前記壁固定部材７３の支持部７２へ垂直下向きに嵌め込まれる。このとき、ロックピン７８を少しパイプソケット７４の方へ引き寄せて支持部７２のロック上辺７２ａを迂回させてやると、同ロックピン７８は最終的にはその重量効果で長孔７７内を前方へ移動して、支持部７２のロック下辺７２ｂの下へ潜り込んで止まり、嵌合板７５を、ひいては横型手摺り２を位置決め固定する。但し、必要に応じて、ロックピン７８を手指でパイプソケット７４の方へ引き寄せて横型手摺り２を持ち上げると、簡単に外すことができる。この時は、ブランチブラケット９又は９’の止めネジか結合ボルトを予め緩めて、パイプソケットを回転自在にしておく。
【００３３】
上記の構成であるから、本発明に係る縦型手摺りに続く横型手摺りの設置構造は、縦型手摺り１の存在を前提として、その縦型手摺り１へ取り付けたブランチブラケット９又は９’と、壁取付ブラケット８又は８’の２種を使用することにより、建物の室内又は室外の任意所望の位置、方向に、縦型手摺り１に続く横型手摺り２を設置して、高齢者や要介護者の歩行時の補助又は介護用として好適に使用出来る。
【００３４】
【発明の効果】
請求項１〜５に記載した発明に係る縦型手摺りに続く横型手摺りの設置構造によれば、高齢者や要介護者が部屋の所望位置に立てられた縦型手摺り１に掴まり立ち上がった後は、一連の横型手摺り２に掴まり、これに支えられながら壁の位置まで歩行し、更には壁沿いに設置された横型手摺りに掴まって目的の場所へ移動することが可能となり、高齢者や要介護者の歩行時の補助又は介護用として至便に使用出来る。
【００３５】
横型手摺り２は、縦型手摺り１へ取り付けたブランチブラケット９又は９’と、壁取付ブラケット８又は８’の２種を使用することにより、安価に、極めて安定な状態に設置できる。また、横型手摺り２の交換修理や解体撤去の作業まで自由自在に出来て使い勝手に優れているのである。
【図面の簡単な説明】
【図１】本発明に係る縦型手摺りに続く横型手摺りの設置構造を示す全体図である。
【図２】ブランチブラケットの実施例を分解して示す斜視図である。
【図３】前記ブランチブラケットの組み立て、使用の状態を示す斜視図である。
【図４】壁取付ブラケットの実施例を分解して示す斜視図である。
【図５】前記壁取付ブラケットの組み立て、使用の状態を示す斜視図である。
【図６】ブランチブラケットの異なる実施例を分解して示す斜視図である。
【図７】前記ブランチブラケットの組み立て、使用の状態を示す斜視図である。
【図８】壁取付ブラケットの異なる実施例を示す斜視図である。
【図９】前記壁取付ブラケットの組み立て、使用の状態を示す斜視図である。
【図１０】前記壁取付ブラケットの使用状態を示す一部破断した正面図である。
【符号の説明】
１          縦型手摺り
２          横型手摺り
９          ブランチブラケット
１４        パイプソケット
８          壁取付ブラケット
８’        壁取付ブラケット
７０        固定ネジ
７１        通孔
７２        支持部
７２ａ      ロック上辺
７２ｂ      ロック下辺
７８        ロックピン
７３        壁固定部材
７５        嵌合板
７４        パイプソケット
７７        長孔
１０        パイプソケット
１１        支持部
１２        球状凹部
９Ａ        主部材
１３        球形部
１５        球状凹部
１６        結合ボルト
１７        通孔
２０        蓋部材
１９        止めネジ
１８        ネジ孔
９’        ブランチブラケット
１０ａ      半環状のパイプソケット
１１ａ      半割状の支持部
６０        球状凹部
６１Ａ      半割部材
６１Ｂ      半割部材
６２ａ      連結部
６２ｂ      連結部
６４        通孔
４４        固定ネジ
４１        通孔
４２        支持部
４３        球状凹部
４０        壁固定部材
４６        球形部
４７        球状凹部
４９        結合ボルト
４８        通孔
５０        蓋部材
【図１】
2004316091.tif 000003
【図２】
2004316091.tif 000004
【図３】
2004316091.tif 000005
【図４】
2004316091.tif 000006
【図５】
2004316091.tif 000007
【図６】
2004316091.tif 000008
【図７】
2004316091.tif 000009
【図８】
2004316091.tif 000010
【図９】
2004316091.tif 000011
【図１０】
2004316091.tif 000012